(57)【要約】【課題】出会いや仲間を求める際に、生活範囲が共通する者の中から、相性の良い相手を的確かつ容易に選び出すことが可能なマッチングシステムを提供する。【解決手段】マーカーの位置情報を取得するマーカー位置情報取得手段(11)と、マーカー情報（マーカーの位置情報、取得時間、マーカーの属性データ）を管理するマーカー情報登録管理手段(31)と、フォロアー情報（フォロアーの属性データ）を管理するフォロアー情報登録管理手段(32)と、マーカーとフォロアーとの相性を数値化した相性スコアを算出するための相性スコア算出手段(33)と、マーカーの位置を示す地図上の位置マーク、取得時間、相性スコアを、フォロアーが所持するフォロアー通信端末(20)の表示装置に表示させるマーカー情報表示手段(21)と、を備える。【選択図】図１
2012221330.tif 000002
【特許請求の範囲】
【請求項１】
検索対象となることを求める検索対象者と、当該検索対象者の中から所望の相手を検索する検索者がそれぞれ所持する通信端末を用いて、行動範囲を共通とする任意の相手との出会いをサポートするためのマッチングシステムであって、
前記検索対象者が所持する検索対象者通信端末（１０）のＧＰＳ機能を用いて、当該検索対象者の現在位置を示す位置情報を取得するための検索対象者位置情報取得手段（１１）と、
前記検索対象者の位置情報と、当該位置情報を取得した取得時間情報と、前記検索対象者の属性データとを関連付けして生成した検索対象者情報を、検索情報データベース（３６）に登録して管理するための検索対象者情報登録管理手段（３１）と、
前記検索者が所持する検索者通信端末（２０）から入力された当該検索者の属性データからなる検索者情報を、前記検索情報データベース（３６）に登録して管理するための検索者情報登録管理手段（３２）と、
前記検索対象者情報及び前記検索者情報に基づいて、少なくとも占術に基づく相性判断要素を含む相性判断値を用いて所定のアルゴリズムに基づく演算を行い、前記検索対象者と前記検索者との相性を数値化した相性スコアを算出するための相性スコア算出手段（３３）と、
前記検索対象者情報に基づいて、当該検索対象者の位置を示す地図上の位置マーク、前記取得時間情報、前記相性スコアを、前記検索者が所持する検索者通信端末（２０）の表示装置に表示させるための検索対象者情報表示手段（２１）と、
を備えたことを特徴とするマッチングシステム。
【請求項２】
前記検索対象者情報表示手段（２１）は、前記検索者の指示に基づき入力された位置情報に基づく所定範囲の地域を表示範囲として、前記検索検対象者の位置を示す位置マーク、取得時間、相性スコアを地図上に表示させることを特徴とする請求項１に記載のマッチングシステム。
【請求項３】
前記検索者通信端末（２０）のＧＰＳ機能を用いて、当該検索者通信端末（２０）が存在する現在位置情報を取得し、当該検索者通信端末（２０）の撮像機能を用いて撮像された風景画像を、前記現在位置情報に基づいて拡張現実処理して、前記検索者通信端末（２０）の表示装置に表示させるための拡張現実処理手段（２２）を備え、
前記検索対象者情報表示手段（２１）は、前記拡張現実処理手段（２２）の機能を用いて、前記位置マーク、取得時間、相性スコアを拡張現実処理された風景画像上に表示させることを特徴とする請求項１又は２に記載のマッチングシステム。
【請求項４】
前記検索者の指示に基づき入力された承認要求信号を、情報交換を希望する検索対象者通信端末（１０）に送信させるための承認要求信号送信手段（２３）と、
前記検索者からの前記承認要求信号を受信した前記検索対象者による承認指示入力に基づいて、前記検索者と前記検索対象者との情報交換を可能とするための承認受諾手段（３４）と、
を備えたことを特徴とする請求項１〜３のいずれか１項に記載のマッチングシステム。
【請求項５】
前記承認受諾手段（３４）により前記検索対象者と前記検索者との情報交換が可能とされた場合に、前記相性スコアが規定値以上となると、良運時期が到来した旨の信号を前記検索対象者通信端末（１０）及び前記検索者通信端末（２０）に送信する良運時期通知手段（３５）を備えたことを特徴とする請求項４に記載のマッチングシステム。
【発明の詳細な説明】
【技術分野】
【０００１】
本発明は、行動範囲を共通とする任意の相手との出会いをサポートするためのマッチングシステムに関し、特に、占術による相性判断要素を加えて相手を探すことが可能なマッチングシステムに関する。
【背景技術】
【０００２】
従来より、他人との出会いを求める場合には、異業種交流会や結婚相談所へ出向いたり、同じ趣味の仲間を集めたサークルに参加したり、出会いの場を提供するウェブサイトにアクセスしたりする等、種々のマッチング方法が存在している。このようなマッチングシステムとしては、例えば下記特許文献１では、好みの場所で普段すれ違う程度の他人の中から、出会いや仲間を探すための技術が開示されている。
【０００３】
この特許文献１に記載された技術は、出会い、仲間を求めるためのマッチングの判定を行うマッチングシステムに関するものである。このマッチングシステムは、所定時間毎に位置情報を算出すると共に、複数の携帯通信端末間で近距離通信を行い、相手の識別情報を取得する。そして、携帯通信端末の位置情報が所定空間に位置する場合にはマッチングモードへの移行と判定して、相手となる携帯通信端末の識別情報、自己の識別情報を情報サーバーに送信する。さらに、携帯通信端末から送信されたプロフィール情報、マッチング条件を識別情報毎に保持するデータベースを構築し、当該データベースを参照して、相手のプロフィール情報に対する自己のマッチング条件に一致するマッチング度を判定し返信するようになっている。
【先行技術文献】
【特許文献】
【０００４】
【特許文献１】特開２００６−１７２２２３号公報
【発明の概要】
【発明が解決しようとする課題】
【０００５】
ところで、出会いや仲間を求める際には、全く出会うことがない遠距離にいる者よりも、職場、学校、住居等、生活範囲が共通する者の中から、相手を選ぶことが多い。すなわち、生活範囲が共通する者同士は、生活範囲が異なる者同士と比較して、価値観、話題等が共通することが多いのが実情である。そのため、生活範囲が共通する者同士は、仕事のパートナー、趣味等が共通とする友人となるだけではなく、結婚相手としても相応しいことが多いと考えられる。
【０００６】
しかし、特許文献１の「マッチングシステム」では、出会い、仲間を求める際に、携帯通信端末間で直接通信を行うため、各自が所有する携帯通信端末が通信可能となっていなければ、お互いの情報を交換することができない。また、情報交換をする者同士が時間を共有していなければ、たとえ情報交換をする者が通信可能な位置にいたとしても、お互いの情報を交換することができない。
【０００７】
すなわち、生活範囲が共通するからといって、必ずしも生活時間帯が共通するとは言えず、生活範囲が共通していたとしても、時間的にすれ違う可能性があり、この場合には、互いに相応しい相手であったとしても出会うことができないという問題があった。
【０００８】
さらに、ただ単に生活範囲が共通していたとしても、互いの相性が合うとは限らず、この場合には、有効なマッチングを行うことができない。この点、長年にわたる経験則や統計学的見地からから相性を判断する占術は、生年月日データ、方位データ、星座データ等の数値データを用いて科学的な相性判断を行うものであり、有効なマッチングを行うための判断要素として機能することが期待される。
【０００９】
本発明は、かかる事情に鑑み創案されたものである。すなわち、本発明の目的は、出会いや仲間を求める際に、生活範囲が共通する者の中から、相性の良い相手を的確かつ容易に選び出すことが可能なマッチングシステムを提供することにある。
【課題を解決するための手段】
【００１０】
上述した目的を達成するための本発明は、検索対象となることを求める検索対象者（マーカー）と、当該検索対象者（マーカー）の中から所望の相手を検索する検索者（フォロアー）がそれぞれ所持する通信端末を用いて、行動範囲を共通とする任意の相手との出会いをサポートするためのマッチングシステムであって、検索対象者位置情報取得手段（マーカー位置情報取得手段１１）と、検索対象者情報登録管理手段（マーカ情報登録管理手段３１）と、検索者情報登録管理手段（フォロアー情報登録管理手段３２）と、相性スコア算出手段（３３）と、検索対象者情報表示手段（マーカー情報表示手段２１）と、を備えたことを特徴とするものである。
【００１１】
検索対象者（マーカー）が所持する検索対象者通信端末（マーカー通信端末１０）のＧＰＳ機能を用いて、当該検索対象者（マーカー）の現在位置を示す位置情報を取得するための手段である。検索対象者情報登録管理手段（マーカー情報登録管理手段３１）は、検索対象者（マーカー）の位置情報と、当該位置情報を取得した取得時間情報と、当該検索対象者（マーカー）の属性データとを関連付けして生成した検索対象者情報（マーカー情報）を、検索情報データベース（３６）に登録して管理するための手段である。検索者情報登録管理手段（フォロアー情報登録管理手段３２）は、検索者（フォロアー）が所持する検索者通信端末（フォロアー通信端末２０）から入力された当該検索者（フォロアー）の属性データからなる検索者情報（フォロアー情報）を、検索情報データベース（３６）に登録して管理するための手段である。相性スコア算出手段（３３）は、検索対象者情報（マーカー情報）及び検索者情報（フォロアー情報）に基づいて、少なくとも占術に基づく相性判断要素を含む相性判断値を用いて所定のアルゴリズムに基づく演算を行い、検索対象者（マーカー）と検索者（フォロアー）との相性を数値化した相性スコアを算出するための手段である。検索対象者情報表示手段（マーカー情報表示手段２１）は、検索対象者（マーカー）情報に基づいて、当該検索対象者（マーカー）の位置を示す地図上の位置マーク、取得時間、相性スコアを、検索者（フォロアー）が所持する検索者通信端末（フォロアー通信端末２０）の表示装置に表示させるための手段である。
【００１２】
また、上述した構成に加えて、検索者（フォロアー）の指示に基づき入力された位置情報に基づく所定範囲の地域を表示範囲として、検索検対象者（マーカー）の位置を示す位置マーク、取得時間、相性スコアを地図上に表示させることが可能である。
【００１３】
また、上述した構成に加えて、拡張現実処理手段（２２）を備えることが可能である。拡張現実処理手段（２２）は、検索者通信端末（フォロアー通信端末２０）のＧＰＳ機能を用いて、当該検索者通信端末（フォロアー通信端末２０）が存在する現在位置情報を取得し、当該検索者通信端末（フォロアー通信端末２０）の撮像機能を用いて撮像された風景画像を、現在位置情報に基づいて拡張現実処理して、検索者通信端末（フォロアー通信端末２０）の表示装置に表示させるための手段である。このような構成において、検索対象者情報表示手段（マーカー情報表示手段２１）は、拡張現実処理手段（２２）の機能を用いて、位置マーク、取得時間、相性スコアを拡張現実処理された風景画像上に表示させる。
【００１４】
また、上述した構成に加えて、承認要求信号送信手段（２３）と、承認受諾手段（３４）とを備えることが可能である。承認要求信号送信手段（２３）は、検索者（フォロアー）の指示に基づき入力された承認要求信号を、情報交換を希望する検索対象者通信端末（マーカー通信端末１０）に送信させるための手段である。承認受諾手段（３４）は、検索者（フォロアー）からの承認要求信号を受信した検索対象者（マーカー）による承認指示入力に基づいて、検索対象者（マーカー）と検索者（フォロアー）との情報交換を可能とするための手段である。
【００１５】
また、上述した構成に加えて、承認受諾手段（３４）により検索者（マーカー）と検索対象者（マーカー）との情報交換が可能とされた場合に、相性スコアが規定値以上となると、良運時期が到来した旨の信号を検索対象者通信端末（マーカー通信端末１０）及び検索者通信端末（フォロアー通信端末２０）に送信する良運時期通知手段（３５）を備えることが可能である。
【発明の効果】
【００１６】
上記構成の発明では、行動範囲を共通とする任意の相手との出会いを求める検索対象者（マーカー）が、自らの属性データと、位置情報と、位置情報を取得した取得時間情報とを登録する。また、行動範囲を共通とする任意の相手との出会いを求める検索者（フォロアー）が、自らの属性データを登録する。そして、検索対象者（マーカー）と検索者（フォロアー）との相性を数値化した相性スコアを、位置マーク及び取得時間情報と共に、検索者（フォロアー）が所持する検索者通信端末（フォロアー通信端末）の表示装置に表示させることができる。したがって、検索者（フォロアー）は、生活範囲が共通する検索対象者（マーカー）の中から、相性の良い相手を的確かつ容易に選び出すことが可能となる。
【００１７】
この際、検索者（フォロアー）の指示に基づく所定範囲の地域を表示範囲とすることが可能である。この場合には、検索者（フォロアー）が出会いを求める地域を指定することができ、さらに一層、相性の良い相手を的確かつ容易に選び出すことが可能となる。
【００１８】
また、拡張現実処理手段の機能を用いて、位置マーク、取得時間、相性スコアを拡張現実処理された風景画像上に表示させることが可能である。この場合には、検索者（フォロアー）が実際に目にする風景の中に、検索対象者（マーカー）の所在を表す位置マークが表示される。したがって、出会いを求める検索対象者（マーカー）がマーキングした位置を容易に把握することができるので、現実感を持って出会いを求めることが可能となる。
【００１９】
また、検索者（フォロアー）が気に入った検索対象者（マーカー）が存在すると、当該検索対象者（マーカー）に承認要求を行い、当該検索対象者（マーカー）が承認受諾を行うと、当該相手と情報交換を行うことが可能となる。この場合には、お互いに気に入った相手と情報交換を行うことができ、さらに一層、最適な相手を選び出すことが可能となる。
【００２０】
また、相性スコアに基づいて良運時期が到来したことを、検索対象者（マーカー）及び検索者（フォロアー）に通知することが可能である。この場合には、良運時期を逃すことがなくなり、さらに一層、相性の良い相手を的確かつ容易に選び出すことが可能となる。
【図面の簡単な説明】
【００２１】
【図１】本発明の実施形態に係るマッチングシステムの構成及び機能を説明する構成機能説明図である。
【図２】マーカー通信端末における入力画面の模式図である。
【図３】フォロアー通信端末におけるマーカー情報表示画面の模式図である。
【図４】フォロアー通信端末におけるフォロー画面及びマーカー通信端末におけるフォロー通知画面の模式図である。
【図５】フォロアー通信端末における拡張現実処理画面の模式図である。
【発明を実施するための形態】
【００２２】
以下、図面を参照して、本発明の実施の形態を説明する。図１は、本発明の実施形態に係るマッチングシステムの構成及び機能を説明する構成機能説明図であり、図２は、マーカー通信端末における入力画面の模式図であり、図３はフォロアー通信端末におけるマーカー情報表示画面の模式図であり、図４はフォロアー通信端末におけるフォロー画面及びマーカー通信端末におけるフォロー通知画面の模式図であり、図５はフォロアー通信端末における拡張現実処理画面の模式図である。なお、以下の説明では、地図上に自らの存在を示すマーキングを行う検索対象者のことを「マーカー」と称し、この「マーカー」を見つけ出して出会いを希望する検索者のことを「フォロアー」と称する。
【００２３】
＜マッチングシステムの概要＞
本発明の実施形態に係るマッチングシステムは、行動範囲を共通とする任意の相手との出会いをサポートするためのシステムであって、ＧＰＳ機能、データ通信機能、アプリケーションソフト利用機能、撮像機能、ＡＲ（Augmented Reality）機能等を備えたパーソナル携帯端末を利用するものである。このようなパーソナル携帯端末には、各種の拡張機能を備えた携帯電話や、通信機能を備えたタブレットＰＣを利用することができる。なお、以下の説明で、マーカー又はフォロアーが所持する通信端末とは、マーカー又はフォロアーが所有する通信端末だけではなく、マーカー又はフォロアーが自らの情報端末として使用することが可能な通信端末の全般を表す概念である。
【００２４】
このマッチングシステムは、図１に示すようにクラウド・コンピューティング技術を応用したもので、パーソナル携帯端末にマッチングシステムを実現するためのアプリケーションソフトをインストールし、クラウド上に存在するサーバー３０にアクセスすることにより実現することができる。また、パーソナル携帯端末に、ＷＥＢサーバーへの接続アプリケーションソフトをインストールし、携帯電話網４０等の通信網を介してＷＥＢサーバー、アプリケーションサーバー、データサーバー等に接続することにより、マッチングシステムを実現してもよい。なお、後に詳細に説明するが、本発明では、パーソナル携帯端末を、マーカー通信端末１０又はフォロアー通信端末２０として利用する。
【００２５】
図１に示すように、パーソナル携帯端末（マーカー通信端末１０、フォロアー通信端末２０）とサーバー３０とは、携帯電話網４０及びデータ通信網（例えば、インターネット５０）を介して接続されている。なお、詳細には図示しないが、携帯電話網４０は、パーソナル携帯端末（マーカー通信端末１０、フォロアー通信端末２０）が備える通信機能により基地局（図示せず）にアクセスし、基地局と他の基地局との間は電話網（図示せず）により接続し、他の基地局から通信相手となる他のパーソナル携帯端末（マーカー通信端末１０、フォロアー通信端末２０）へ信号を送受信する機能を有している。また、電話網は、インターネット５０等の通信回線を介してサーバー３０と接続されている。これにより、パーソナル携帯端末（マーカー通信端末１０、フォロアー通信端末２０）とサーバー３０との間で信号の送受信を行うことができると共に、一組の任意のパーソナル携帯端末（マーカー通信端末１０、フォロアー通信端末２０）の間で信号の送受信を行うことができる。
【００２６】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
＜マッチングシステムの機能＞
本発明の実施形態に係るマッチングシステムは、図１に示すように、出会いを求めるマーカーと、当該マーカーの中から所望の相手を検索するフォロアーがそれぞれ所持する通信端末（マーカー通信端末１０及びフォロアー通信端末２０）を用いて、行動範囲を共通とする任意の相手との出会いをサポートするためのマッチングシステムである。このマッチングシステムは、マーカー位置情報取得手段１１と、マーカー情報登録管理手段３１と、フォロアー情報登録管理手段３２と、相性スコア算出手段３３と、マーカー情報表示手段２１とを備えている。
【００２８】
また、本発明の実施形態に係るマッチングシステムは、拡張現実処理手段２２を備えることが好ましく、さらに、承認要求信号送信手段２３と、承認受諾手段３４と、良運時期通知手段３５とを備えることが好ましい。なお、拡張現実処理手段２２、承認受諾手段３４、良運時期通知手段３５は、これらの機能を備える必要がない場合には不要となる。
【００２９】
本実施形態において、マーカー位置情報取得手段１１は、マーカーが所持するマーカー通信端末１０の機能として実現される。また、マーカー情報登録管理手段３１、フォロアー情報登録管理手段３２、相性スコア算出手段３３、承認受諾手段３４、良運時期通知手段３５は、サーバー３０の機能として実現される。また、マーカー情報表示手段２１、拡張現実処理手段２２、承認要求信号送信手段２３は、フォロアーが所持するフォロアー通信端末２０の機能として実現される。
【００３０】
なお、マーカーとフォロアーとが所持する通信端末を厳密に区別する必要はなく、マーカー及びフォロアーが所持する通信端末に同様の機能を持たせて、それぞれマーカー通信端末１０又はフォロアー通信端末２０とすることができる。さらに、通信端末の機能として、ＧＰＳ機能、データ通信機能、アプリケーションソフト利用機能、撮像機能、ＡＲ機能等を備えていれば、携帯型の通信端末ではなく、固定型の通信端末を用いることもできる。
【００３１】
＜マーカー通信端末＞
マーカー通信端末１０は、例えば、多機能型携帯電話や通信機能を備えたタブレットＰＣからなり、少なくとも、ＧＰＳ機能、データ通信機能、アプリケーションソフト利用機能を備えている。このマーカー通信端末１０は、パーソナル携帯端末の一般的な機能である電話機能、メール送受信機能、ウェブサイト閲覧機能等の他に、マーカー位置情報取得手段１１の機能を備えている。また、マーカー通信端末１０は、当該マーカー通信端末１０のハードウェア及びソフトウェア構成に合致したアプリケーションソフトをインストールすることにより、マッチングシステムとしての機能を発揮することができる。なお、アプリケーションソフトは、マーカー通信端末１０とデータ通信を行うことが可能なサーバー３０に格納されている。また、マーカー通信端末１０からサーバー３０に接続して、サーバー３０に格納されたアプリケーションソフトを動作させることにより、マーカー通信端末１０にマッチングシステムとしての機能を発揮させてもよい。
【００３２】
＜マーカー位置情報取得手段＞
マーカー位置情報取得手段１１は、マーカーが所持するマーカー通信端末１０のＧＰＳ機能を用いて、当該マーカーの現在位置を示す位置情報を取得するためのプログラムからなる。取得した位置情報は、その取得時間情報と共にマーカー通信端末１０のメモリ（図示せず）に記憶される。なお、位置情報の取得時間情報は、マーカー通信端末１０が備えるリアルタイムクロックにより取得することができる。
【００３３】
＜サーバー＞
サーバー３０は、通信機能、データ登録管理機能、アプリケーション動作機能等を有し、クライアントとなるマーカー通信端末１０及びフォロアー通信端末２０との間で信号の送受信を行うことにより、マッチングシステムのサービスを提供するための装置である。本実施形態のサーバー３０は、マーカー情報登録管理手段３１、フォロアー情報登録管理手段３２、相性スコア算出手段３３、承認受諾手段３４、良運時期通知手段３５の機能を備えている。なお、サーバー３０は、１つのコンピュータにより構成してもよいが、各機能を分散した複数のコンピュータにより構成してもよく、また、仮想化されていてもよい。
【００３４】
＜マーカー情報登録管理手段＞
マーカー情報登録管理手段３１は、マーカーの位置情報と、当該位置情報を取得した取得時間情報と、マーカーの属性データとを関連付けして生成したマーカー情報を、検索情報データベース３６に登録して管理するためのプログラムからなる。上述したように、マーカーの位置情報は、マーカーが所持するマーカー通信端末１０のＧＰＳ機能を用いて取得する。この際、マーカー通信端末１０が備えるリアルタイムクロックにより、当該位置情報を取得した取得時間情報も取得する。また、マーカーの属性データは、マーカーが、マーカー通信端末１０の入力機能を用いて入力することができる。この際、マーカー通信端末１０の表示画面に表示される入力枠内に、任意の文字を入力したり、プルダウンメニューに表示されるデータの中から、所望のデータを選択したりすることができる（図２参照）。
【００３５】
なお、自宅、勤務先、学校等のように、その存在が知られてしまうと、いわゆるストーカー被害を受けかねない場所については、マーカー情報が作成されないように、登録拒否設定を行うことが可能な構成とすることが好ましい。この登録拒否設定は、予め、マーカー通信端末１０を用いてサーバー３０にアクセスし、マーカー情報登録管理手段３１に対して登録拒否設定を要求すればよい。登録拒否設定を行うには、例えば、マーカー通信端末１０の表示装置に表示される登録拒否画面において、登録拒否位置情報を入力すると共に、登録拒否アイコンをクリックすることにより、マーカー情報登録管理手段３１に登録拒否設定要求信号を送信する。
【００３６】
マーカーの属性データには、必須の入力データである基礎データと、任意の入力データである付加データとがある。基礎データは、例えば、「名前」、「生年月日」、「出生時間」、「出生地」、「性別」、「求める縁」である。「名前」データは、本名であってもよいし、ニックネームであってもよい。「求める縁の種類」データは、「恋愛」、「ビジネス」、「勉強」、「ゲーム」等からなる。これらのデータのうち、例えば「名前」、「性別」、「求める縁の種類」を必須入力項目とし、その他のデータは任意入力項目とすることができる。
【００３７】
また、付加データは、例えば、「恋愛状況」、「結婚」、「子供」、「職業」、「好きな人」、「今一番知りたいこと」、「現在のライフスタイル」、「悩みと興味のあること」等からなる。「恋愛状況」データは、「出会い」、「片思い」、「両思い」、「失恋」、「復縁したい」、「その他」等からなる。「結婚」データは、「既婚」、「未婚」、「離婚歴有り」等からなる。「子供」データは、「有り」、「無し」からなる。「職業」データは、「ＯＬ・会社員」、「フリーター」、「学生」、「主婦」、「自営業」、「専門職」、「求職中」、「その他」等からなる。
【００３８】
「好きな人」データは、「好きな人がいない」、「顔も名前も知らない」、「顔だけ知っている」、「呼び名だけ知っている」、「本名を知っている」、「生年月日を知っている」、「本名と生年月日を知っている」等からなる。「今一番知りたいこと」データは、「恋愛（出会い、自分磨き）」、「恋愛（相手の気持ち）」、「未来予知（未来予測）」、「自己分析」、「仕事」、「対人関係」、「金運」、「全体（総合運）」、「その他」等からなる。「現在のライフスタイル」は、「一人暮らし」、「親と同居」、「彼（彼女）と同棲中」、「友達と同居」、「夫（妻）と同居」、「夫（妻）と子供」、「その他」等からなる。「悩みと興味のあること」データは、「恋愛」、「ファッション」、「コスメ・美容」、「ダイエット」、「マネー」、「健康」、「旅行」、「グルメ」、「人間関係」、「仕事」、「ゲーム」、「アウトドア」、「スポーツ」、「パソコン」等からなる。なお、上述したデータは一例であり、これらのデータの中から必要なデータのみを選択して使用してもよいし、他のデータを付加してもよい。
【００３９】
＜フォロアー情報登録管理手段＞
フォロアー情報登録管理手段３２は、フォロアーが所持するフォロアー通信端末２０から入力された当該フォロアーの属性データからなるフォロアー情報を、検索情報データベース３６に登録して管理するためのプログラムからなる。フォロアー情報は、上述したマーカー情報とほぼ同様のデータ構成からなるが、フォロアー情報にはフォロアーの位置情報を含ませなくてもよい。また、フォロアー情報を入力するには、マーカー情報の入力と同様に、フォロアー通信端末２０の表示画面に表示される入力枠内に、任意の文字を入力したり、プルダウンメニューに表示されるデータの中から、所望のデータを選択したりすればよい。
【００４０】
＜相性スコア算出手段＞
相性スコア算出手段３３は、マーカー情報及びフォロアー情報に基づいて、少なくとも占術に基づく相性判断要素を含む相性判断値を用いて所定のアルゴリズムに基づく演算を行い、マーカーとフォロアーとの相性を数値化した相性スコアを算出するためのプログラムからなる。占術に基づく相性判断要素とは、長年にわたる経験則や統計学的見地から相性を判断する占術において使用する各種のデータを数値化したものであり、例えば、生年月日データ、方位データ、星座データ等を数値化したデータが相性判断値となる。相性スコアは、占術に基づく相性判断要素を含む相性判断値を用いた演算を行うことにより求められる数値である。例えば、マーカーの星座とフォロアーの星座とを相性判断要素としてマッチングテーブルを作成し、このマッチングテーブルを参照して相性スコアの演算を行う。例えば、マッチングテーブルは、最も相性のよい星座同士の場合は「＋３」、中程度に相性のよい星座同士の場合は「＋１」、相性がやや悪い星座同士の場合は「−１」、相性が最も悪い星座同士の場合は「−３」等のように数値化を行うことにより作成する。なお、相性スコア算出手段３３における演算では、単独の相性判断値に基づいて相性スコアを算出してもよいし、複数の相性判断値に基づいて総合的に相性スコアを算出してもよい。
【００４１】
＜承認受諾手段＞
承認受諾手段３４は、フォロアーからの承認要求信号を受信したマーカーによる承認指示入力に基づいて、マーカーとフォロアーとの情報交換を可能とするためのプログラムからなる。すなわち、フォロアーからの承認要求を受けたマーカーが、この承認要求を受諾する場合に、マーカーによる承認受諾指示が入力されると、マーカー通信端末１０からサーバー３０に対して承認受諾信号が送信され、この承認受諾信号を受信したサーバー３０は、承認受諾手段３４により、マーカーとフォロアーとの情報交換を可能とする（図４参照）。
【００４２】
＜良運時期通知手段＞
良運時期通知手段３５は、承認受諾手段３４によりマーカーとフォロアーとの情報交換が可能とされた場合に、相性スコアが規定値以上となると、良運時期が到来した旨の信号をマーカー通信端末１０及びフォロアー通信端末２０に送信するためのプログラムからなる。すなわち、占術的に運勢の良い時期となり、相性スコアが規定値以上となった場合に、マーカー通信端末１０及びフォロアー通信端末２０に良運時期到来信号を送信することにより、マーカー通信端末１０及びフォロアー通信端末２０の表示装置に、良運時期が到来した旨を示す表示が行われる（図４参照）。なお、良運時期を通知するための相性スコアの値は、適宜設定することができる。これにより、マーカー及びフォロアーは、良運時期を逃すことなく、相手との親交を深めることができる。
【００４３】
＜フォロアー通信端末＞
フォロアー通信端末２０は、例えば、多機能型携帯電話や通信機能を備えたタブレットＰＣからなり、少なくとも、ＧＰＳ機能、データ通信機能、アプリケーションソフト利用機能、撮像機能を備えている。このフォロアー通信端末２０は、パーソナル携帯端末の一般的な機能である電話機能、メール送受信機能、ウェブサイト閲覧機能等の他に、拡張現実処理手段２２、マーカー情報表示手段２１、承認要求信号送信手段２３の機能を備えている。
【００４４】
また、このフォロアー通信端末２０は、当該フォロアー通信端末２０のハードウェア及びソフトウェア構成に合致したアプリケーションソフトをインストールすることにより、マッチングシステムとしての機能を発揮することができる。なお、アプリケーションソフトは、フォロアー通信端末２０とデータ通信を行うことが可能なサーバー３０に格納されている。また、フォロアー通信端末２０からサーバー３０に接続して、サーバー３０に格納されたアプリケーションソフトを動作させることにより、フォロアー通信端末２０にマッチングシステムとしての機能を発揮させてもよい。
【００４５】
なお、フォロアー通信端末２０を携帯型の通信端末とするのではなく、固定型の通信端末とすることもできる。この場合には、ＧＰＳ機能、撮像機能、拡張現実処理手段２２を備えていなくてもよい。
【００４６】
また、フォロアー通信端末２０は、マーカー通信端末１０と共通の通信端末としてもよい。この場合には、マーカーが所持する通信端末がマーカー通信端末１０となり、フォロアーが所持する通信端末がフォロアー通信端末２０となる。
【００４７】
＜マーカー情報表示手段＞
マーカー情報表示手段２１は、マーカー情報に基づいて、当該マーカーの位置を示す地図上の位置マーク、取得時間、相性スコアを、フォロアーが所持するフォロアー通信端末２０の表示装置に表示させるためのプログラムからなる。これにより、フォロアーは、表示されたマーカーの位置マーク、所得時間、相生スコアを見て、交際を求める所望のマーカーを探し出すことができる（図３参照）。
【００４８】
また、マーカー情報表示手段２１は、フォロアーの指示に基づき入力された位置情報に基づく所定範囲の地域を表示範囲として、マーカーの位置を示す位置マーク、取得時間、相性スコアを地図上に表示させることが好ましい。これにより、フォロアーは、交際を求めるマーカーを絞り込んで探し出すことができる。
【００４９】
なお、一般的には、フォロアー通信端末２０の表示装置の表示面積は狭いため、表示画面には、位置マーク及び相性スコアのみを表示し、この位置マークをクリックすることにより、詳細なマーカー情報を表示することが好ましい。これにより、フォロアーは、表示されたマーカーの位置マークに関する詳細な情報を得ることができ、相性のよいマーカーを容易に探し出すことができる（図３参照）。
【００５０】
＜拡張現実処理手段＞
拡張現実処理手段２２は、フォロアー通信端末２０のＧＰＳ機能（および電子コンパス機能）を用いて、当該フォロアー通信端末２０が存在する現在位置情報（および方角情報）を取得し、当該フォロアー通信端末２０の撮像機能を用いて撮像された風景画像を、取得した現在位置情報（および方位情報）に基づいて拡張現実処理して、フォロアー通信端末２０の表示装置に表示させるためのプログラムからなる。この場合、マーカー情報表示手段２１は、拡張現実処理手段２２の機能を用いて、位置マーク、取得時間、相性スコアを拡張現実処理された風景画像上に表示させる。
【００５１】
拡張現実処理では、撮像機能により撮像された風景画像に対して、ＧＰＳ機能（および電子コンパス機能）を用いて取得した現在位置情報（および方位情報）に基づく処理を行い、例えば現在画面に撮像されているビル等の位置（と方位）を確定させる。そして、ビル等の位置に対応させて、マーカーによりマーキングされた位置マーク等を画面の風景画像に重ね合わせることにより、実際の風景画像の中に位置マーク等を表示させることができる（図５参照）。
【００５２】
＜承認要求信号送信手段＞
承認要求信号送信手段２３は、フォロアーの指示に基づき入力された承認要求信号をマーカー通信端末１０に送信させるためのプログラムからなる。すなわち、フォロアーは、表示されたマーカーの位置マークを見て、交際を求める所望のマーカーを探し出した場合に、このマーカーとのコンタクトを行いたいと欲する。そこで、承認要求信号送信手段２３の機能により、位置マークをマーキングしたマーカー通信端末１０に対して承認要求信号を送信させる。例えば、表示された位置マークをクリックすると、当該位置マークをマーキングしたマーカーの詳細なマーカー情報と共に、コンタクトアイコン（フォローアイコン）を表示し、このコンタクトアイコンをクリックすることにより、承認要求信号を送信させるような構成とすることができる（図３参照）。
【００５３】
＜マッチング処理＞
次に、本実施形態のマッチングシステムにおける処理の概要を説明する。本実施形態のマッチングシステムでは、図２に示すように、フォローされたいユーザー（誰かに興味を持って貰いたい人）であるマーカーが、マーカー通信端末１０を用いてサーバー３０へアクセスし、自らの属性データを予め登録しておく。一方、縁ある相手を探し出したいユーザーであるフォロアーは、図２に示すマーカー情報の入力と同様にしてフォロアー情報を入力し、フォロアー通信端末２０を用いてサーバー３０へアクセスし、自らの属性データを予め登録しておく。なお、マーカー通信端末１０及びフォロアー通信端末２０とサーバー３０とは、携帯電話網４０及びインターネット５０を介して接続される。
【００５４】
マーカーは、良く行く場所や、通勤・通学途中に、マーカー通信端末１０のマーカー位置情報取得手段１１の機能により、当該マーカーの現在位置を示す位置情報を取得する。そして、この位置情報と、位置情報を取得した取得時間とをサーバー３０へ送信する。サーバー３０では、マーカー情報登録管理手段３１の機能により、受信した位置情報及び取得時間と、マーカーの属性データとを関連付けてマーカー情報を生成し、検索情報データベース３６に登録して管理する。また、フォロアー情報登録管理手段３２の機能により、受信したフォロアーの属性データからなるフォロアー情報を、検索情報データベース３６に登録して管理する。これにより、マーカーとフォロアーの情報が、サーバー３０において管理されることになる。
【００５５】
そして、フォロアーが縁ある相手を探し出したい場合に、フォロアー通信端末２０においてマッチングシステムを起動させると、図３に示すように、マーカー情報表示手段２１の機能により、マーカーの位置を示す地図上の位置マーク、位置マークの取得時間、相性スコアが、表示装置に表示される。この際、フォロアーの指示に基づき入力された位置情報に基づいて、所定範囲の地域を表示範囲とすることができる。
【００５６】
また、図５に示すように、フォロアー通信端末２０が備える拡張現実処理手段２２の機能により、撮像機能を用いて撮像された風景画像を、フォロアー通信端末２０の現在位置情報に基づいて拡張現実処理して、表示装置に表示させることもできる。この場合には、位置マーク、取得時間、相性スコアは、拡張現実処理された風景画像上に表示される。これにより、現実感のある風景情報に基づいて、マーカーを探し出すことができる。
【００５７】
そして、図４に示すように、フォロアーがマーカーの位置マーク、位置マークの取得時間、相生スコアを見て、気に入ったマーカーが存在する場合には、フォロアー通信端末２０が備える承認要求信号送信手段２３の機能により、気に入ったマーカーのマーカー通信端末１０に対して承認要求信号を送信する（例えば、フォロー・アイコンをクリックする）。承認要求信号を受信したマーカー通信端末１０にはその旨の表示が行われ、当該マーカーが当該フォロアーとの情報交換を希望する場合には、表示装置に表示される情報交換を許可するためのアイコン（例えば、チャンネルコード・アイコン）を操作することにより、マーカー通信端末１０からサーバー３０に対して承認指示信号を送信する。
【００５８】
承認指示信号を受信したサーバー３０では、承認受諾手段３４の機能により、マーカーとフォロアーとの情報交換を可能とする。具体的には、マーカーとフォロアーとの間でメールの送受信やチャットを可能とするためのチャンネルコードを発行する。マーカー及びフォロアーは、このチャンネルコードを入力することにより、図４に示すように、マーカーとフォロアーとの間でメールの送受信やチャットを行うことが可能となる。
【００５９】
さらに、サーバー３０が備える良運時期通知手段３５の機能により、相性スコアが規定値以上となった場合に、良運時期が到来した旨の信号（良運時機到来信号）をマーカー通信端末１０及びフォロアー通信端末２０に送信することができる。具体的には、図４に示すように、サーバー３０から良運時機到来信号を受信したマーカー通信端末１０及びフォロアー通信端末２０では、表示画面に、その旨の表示を行う。
【産業上の利用可能性】
【００６０】
本発明のマッチングシステムは、行動範囲を共通とする任意の相手との出会いをサポートする際に利用することができる。
【符号の説明】
【００６１】
１０  マーカー通信端末
１１  マーカー位置情報取得手段
２０  フォロアー通信端末
２１  マーカー情報表示手段
２２  拡張現実処理手段
２３  承諾要求信号送信手段
３０  サーバー
３１  マーカー情報登録管理手段
３２  フォロアー情報登録管理手段
３３  相性スコア算出手段
３４  承認受諾手段
３５  良運時期通知手段
３６  検索情報データベース
４０  携帯電話網
５０  インターネット
【図１】
2012221330.tif 000003
【図２】
2012221330.tif 000004
【図３】
2012221330.tif 000005
【図４】
2012221330.tif 000006
【図５】
2012221330.tif 000007